(57)【要約】      （修正有）【課題】フェンスを構成する網状パネル同士の上部を接続する施工の容易な構造を提供する。【解決手段】水平縦線２ａと水平横線３ａとを持つ２つの網状パネル１の水平折り返し部１ａを接続金具組立体１１で接続する。接続金具組立体は、第１、第２の挟持金具１２，１３からなり、上下に水平折り返し部１ａを挟んでボルト１４で締め付けられ、第１の挟持金具１２の挟持縁部１２ｂと第２の挟持金具１３の挟持縁部１３ｂとで水平横線１３ａを締め付け挟持し、第１の挟持金具１３は、起立した４つの挟持縁部１２ｂが各網状パネル１の端部の２本の水平縦線２ａ間にはまって２本の水平横線３ａの下面に当接し、第２の挟持金具１３は、主板部１３ａが２本の水平横線３ａの間に落ち込み、挟持縁部１３ｂが２本の水平横線３ａ上に載るので、両金具１２，１３の保持、位置決めが容易である。【選択図】図２
2015113649.tif 000002
【特許請求の範囲】
【請求項１】
縦方向に延びる複数の縦線とこの縦線の外側面に溶着された横方向に延びる複数の横線とを有し、かつ上端部に水平の折り返し部を有する左右２つのフェンス用網状パネルの隣接端部間を接続金具組立体により接続する構造であって、
前記網状パネルの水平折り返し部は、前記複数の縦線の上端部を水平に屈折させてなる水平縦線と、この水平縦線の上面に直交方向に溶着された少なくとも２本の平行な水平横線とを具備し、
前記接続金具組立体は、前記網状パネルの水平折り返し部の隣接端部を上下に挟むように配置され、互いにボルトにて締め付けられる第１及び第２の挟持金具を具備し、
前記第１の挟持金具は、前記ボルトに対応するねじ孔又はねじ挿通孔を有し前記網状パネルの水平折り返し部の隣接端部の下面に沿う概略矩形状の主板部と、各網状パネルの隣接端部の２本の前記水平縦線の間に位置し隣接する２本の前記水平横線の下面に当接するように主板部の両側縁に形成された挟持縁部とを具備し、
前記第２の挟持金具は、前記第１の挟持金具のねじ孔又はねじ挿通孔に対応するねじ孔又はねじ挿通孔を有し前記網状パネルの水平折り返し部の隣接端部の上面に沿う概略矩形状の主板部と、各網状パネルの隣接する２本の前記水平横線の上面に当接するように主板部の両側縁に形成された挟持縁部とを具備し、
前記第１の金具の挟持縁部は、前記網状パネルの２本の水平縦線の間に位置し、前記主板部の両縁に段部を介して主板部より上側位置に形成され、それによって挟持縁部が２本の水平縦線の間において前記水平横線の下面に当接し、
前記第２の金具の挟持縁部は、前記主板部の両縁に段部を介して主板部より上側位置に形成されることを特徴とするフェンス用網状パネルの接続構造。
【請求項２】
前記第１の金具のねじ孔又はねじ挿通孔は、前記主板部を上方へ突出させた上方凸部上に形成され、この上方凸部によって前記ボルトの過剰締め付けによる第１の金具又は前記第２の金具の変形が防止されることを特徴とする請求項１に記載のフェンス用網状パネルの接続構造。
【発明の詳細な説明】
【技術分野】
【０００１】
本発明は、フェンスを構成するように横方向に隣接する網状パネル同士を上部において接続する構造に係り、特に、各網状パネルが、縦方向の複数の縦線と横方向の複数の横線とを有し、かつ上端部に水平の折り返し部を有してなるものの接続構造に関する。
【背景技術】
【０００２】
従来、フェンス用網状パネルの接続構造として、接続すべき左右２つの網状パネルを、表側と裏側から第１、第２の２つの金具で挾持することにより、互いに接続するものが知られている（例えば特許文献1参照）。網状パネルは、線材からなる縦方向に延びる複数の縦線と、この縦線の表側面に溶着された横方向に延びる複数の横線とを具備する。２つの金具は、１本のボルトで締め付けられる。ほぼ相似形に形成された第１、第２の金具を網状パネルを挟んで向かい合わせに突き合わせ、向かい合った溝状部を各網状パネルの横線に嵌合させる。両金具の溝状部の端縁である爪部の先端同士が突き合わされることにより、向かい合った溝状部間に横線を通す断面ほぼ菱形の空間が形成される。向かい合った基部間の左右両縁部に沿って縦線が貫通する。第１、第２の金具は、基部の中央を貫通するボルトにより、向かい合った両基部間を接近させる方向に締め付けられる。
【先行技術文献】
【特許文献】
【０００３】
【特許文献１】特開２００３−２０１７７６号公報
【発明の概要】
【発明が解決しようとする課題】
【０００４】
特許文献１に記載のフェンス用網状パネルの接続構造は、左右２つの網状パネルをその面方向に真っ直ぐに接続する構造であり、上端部に水平の折り返し部を有するものを、その水平折り返す部において接続する構造には適用することができない。他に網状パネルを水平折り返す部において接続する、施工の容易な構造に関する先行技術を出願人は見出せなかった。
したがって、本発明は、フェンスを構成する網状パネル同士をその上部の水平折り返す部において横方向に接続する施工の容易な構造を提供することを目的としている。
【課題を解決するための手段】
【０００５】
以下、添付図面の符号を参照して説明するが、本発明はこれに限定されるものではない。
上記課題を解決するための、本発明のフェンス用網状パネルの接続構造は、縦方向に延びる複数の縦線とこの縦線の外側面に溶着された横方向に延びる複数の横線とを有し、かつ上端部に水平の折り返し部を有する左右２つのフェンス用網状パネルの隣接端部間を接続金具組立体により接続する構造である。網状パネルの水平折り返し部は、複数の縦線の上端部を水平に屈折させてなる水平縦線と、この水平縦線の上面に直交方向に溶着された少なくとも２本の平行な水平横線とを具備する。接続金具組立体は、網状パネルの水平折り返し部の隣接端部を上下に挟むように配置され、互いにボルトにて締め付けられる第１及び第２の挟持金具を具備する。第１の挟持金具は、ボルトに対応するねじ孔又はねじ挿通孔を有し、網状パネルの水平折り返し部の隣接端部の下面に沿う概略矩形状の主板部と、各網状パネルの隣接端部の２本の水平縦線の間に位置し隣接する２本の水平横線の下面に当接するように主板部の両側縁に形成された挟持縁部とを具備する。第２の挟持金具は、第１の挟持金具のねじ孔又はねじ挿通孔に対応するねじ孔又はねじ挿通孔を有し網状パネルの水平折り返し部の隣接端部の上面に沿う概略矩形状の主板部と、各網状パネルの隣接する２本の水平横線の上面に当接するように主板部の両側縁に形成された挟持縁部とを具備する。第１の金具の挟持縁部は、網状パネルの２本の水平縦線の間に位置し、主板部の両縁に段部を介して主板部より上側位置に形成され、それによって挟持縁部が２本の水平縦線の間において水平横線の下面に当接する。第２の金具の挟持縁部は、主板部の両縁に段部を介して主板部より上側位置に形成される。
【発明の効果】
【０００６】
本発明のフェンス用網状パネルの接続構造においては、第１の金具と第２の金具の挟持縁部間で網状パネルの水平横線を確固に挟持でき、両金具の位置決め、ボルトの締め付けの作業を容易に行うことができる。
【図面の簡単な説明】
【０００７】
【図１】本発明によるフェンス用網状パネルの接続構造を示す分解斜視図である。
【図２】図１のフェンス用網状パネルの接続構造を示す斜視図である。
【図３】図１のフェンス用網状パネルの接続構造を示す平面図である。
【図４】図１のフェンス用網状パネルの接続構造を示す正面図である。
【図５】図１のフェンス用網状パネルの接続構造を示す側面図である。
【発明を実施するための形態】
【０００８】
図面を参照して本発明の実施の形態を説明する。
図1において、２つの網状パネル１は、隣接端部において接続金具組立体１１により接続され、フェンスを構成する。各網状パネル１は、線材からなる縦方向の複数の縦線２と、この縦線２の外側面に溶着された線材からなる横方向の複数の横線３とにより形成された格子状の垂直面部と、上端部において内側方向へ水平に折り返えされた折り返し部１ａを有する。水平折り返し部１ａは、垂直方向の各縦線２の上端部を水平に屈折させてなる水平縦線２ａと、この複数の水平縦線の上面に直交方向に溶着された内外２本の平行な水平横線３ａとを具備する。
【０００９】
左右２つの網状パネル１は、隣接端部の水平折り返し部１ａにおいて、接続金具組立体１１により接続される。接続金具組立体１１は、第１及び第２の挟持金具１２，１３を具備する。
【００１０】
第１及び第２の金具１２，１３は、各網状パネルの水平折り返し部１ａの隣接端部を上下に挟んでボルト１４にて相互に締め付け固定される。
【００１１】
第１の金具１２は、網状パネルの水平折り返し部１ａの下面に沿う概略矩形状の主板部１２ａと、２本の水平横線３ａの下面に当接するように主板部１２ａの内側縁と外側縁に形成された挟持縁部１２ｂとを具備する。挟持縁部１２ｂは、各網状パネルの隣接端部における２本の水平縦線２ａの間に位置し、主板部１２ａの内側及び外側の縁に段部１２ｃを介して主板部１２ａより上側位置に形成される。それによって挟持縁部１２ｂが２本の水平縦線２ａの間において水平横線３ａの下面に当接する。第１の金具のねじ孔１２ｅは、主板部１２ａを上方へ突出させた上方凸部１２ｄに形成される。
【００１２】
第２の挟持金具１３は、網状パネルの水平折り返し部１ａの上面に沿う概略矩形状の主板部１３ａと、２本の水平横線３ａの上面に当接するように主板部１３ａの内側縁と外側縁に形成された挟持縁部１３ｂとを具備する。主板部１３ａには、第１の挟持金具１２のねじ孔１２ｅに対応するねじ挿通孔１３ｄが形成される。挟持縁部１３ｂは、主板部１３ａの内側及び外側の縁に段部１３ｃを介して主板部１３ａより上側位置に形成される。
【００１３】
なお、各金具１２，１３のねじ孔１２ｅとねじ挿通孔１３ｄは、対応する者同士相互に変更可能である。
【００１４】
相隣接する２つの網状パネル１を互いに接続する際には、例えば、第１の挟持金具１３を網状パネル１の水平部１ａの下側からあてがい、２本の水平縦線２ａの間において挟持縁部１２ｂを２本の水平横線３ａの下側面に当接させると共に、第１の挟持金具１２に対向するように、上側から第２の挟持金具１３をあてがい、挟持縁部１３ｂを２本の水平横線３ａの下側面に当接させる。第１の挟持金具１３を水平部１ａの下側にあてがう際、起立した４つの挟持縁部１２ｂが各網状パネル１の端部の２本の水平縦線２ａ間にはまり、２本の水平横線３ａの下面に当接するので、金具の保持、位置決めが容易である。また、第２の挟持金具１３を水平部１ａの上側にあてがう際、主板部１３ａが２本の水平横線３ａの間に落ち込み、挟持縁部１３ｂが各網状パネル１の端部の２本の水平横線３ａ上に載るので、金具の保持、位置決めが容易である。この状態で、上側からねじ挿通孔１３ｄを通してねじ孔１２ｅにボルト１４を螺合させて、挟持縁部１２ｂ、１３ｂ間に水平横線３ａを挟持させる。
【００１５】
ボルト１４を締め付ける際に、過剰な締め付け力を加えた場合、第１の挟持金具１２の上側凸部１２ｄの上側面が、第２の挟持金具１３の下側面に当接することで、両金具１２，１３の変形が阻止されるから、過剰な変形による把持力の低下を回避することができる。
【００１６】
このフェンス用網状パネルの接続構造においては、第１の挟持金具１２と第２の挟持金具１３の挟持縁部１２ｂ、１３ｂ間で相隣接する網状パネル１の水平横線３ａを確固に挟持でき、かつ両金具の装着、保持、位置決め、ボルト締めの作業を容易に、効率的に行うことができる。
【符号の説明】
【００１７】
１    網状パネル
１ａ  水平折り返し部
２    縦線
２ａ  水平縦線
３    横線
３ａ  水平横線
１１  接続金具組立体
１２  第１の挟持金具
１２ａ  主板部
１２ｂ  挟持縁部
１２ｃ  段部
１２ｄ  上側凸部
１２ｅ  ねじ孔
１３  第２の挟持金具
１３ａ  主板部
１３ｂ  挟持縁部
１３ｃ  段部
１３ｄ  ねじ挿通孔
１４    ボルト
【図１】
2015113649.tif 000003
【図２】
2015113649.tif 000004
【図３】
2015113649.tif 000005
【図４】
2015113649.tif 000006
【図５】
2015113649.tif 000007